(57)【要約】      （修正有）【課題】時計バンドの６時側（腕時計の６時を示す文字板方向）に時計バンドの長さ微調整技術を備えるとともに、バンドの長さを長くした場合でも長さを微調整する構造が見えないようにした時計バンド長さ微調整機構を提供する。【解決手段】上箱と中板と下板５０からなる三折りバックルを備えた時計バンドの長さ微調整構造であって、下板５０の時計バンド側に回動自在に取り付けられる雄パーツ１０とそれに続いて雄パーツ１０と回動自在に取り付けられる雌パーツ２０とを備える。雌パーツ２０は、雌パーツ側に回動した雄パーツ１０を収容する収容スペース２２と収容した雄パーツ１０を収容スペース２２内に固定する固定ピン２３とを備える。【選択図】図１
0003144221.tif 000002
【実用新案登録請求の範囲】
【請求項１】
上箱と中板と下板からなる三折りバックルを備えた時計バンドの長さ微調整構造であって、
下板の時計バンド側に回動自在に取り付けられる雄パーツとそれに続いて雄パーツと回動自在に取り付けられる雌パーツとを備え、雌パーツは雌パーツ側に回動した雄パーツを収容する収容スペースと収容した雄パーツを収容スペース内に固定する固定機構とを備えたことを特徴とする時計バンドの長さ微調整構造。
【請求項２】
収容スペースは、雌パーツの裏面側に設けられて表面側には表出されない縦断面略コ字型に形成されたことを特徴とする請求項１記載の時計バンドの長さ微調整構造。
【請求項３】
請求項１又は２記載の時計バンドの長さ微調整構造を備えたことを特徴とする時計バンド。
【考案の詳細な説明】
【技術分野】
【０００１】
本願考案は、上箱と中板と下板からなる三折りバックルを備えた時計バンドの長さ微調整技術に関するものであり、特に、６時側（腕時計の６時を示す文字板方向）に時計バンドの長さ微調整技術を備えたものである。
【背景技術】
【０００２】
上箱と中板と下板からなる三折りバックルを備えた時計バンドの長さ微調整技術に関するものとしては、従来、特許文献１に開示されたものがある。
特許文献１に開示された発明は、長さ調節が容易に行えるうえ、部品点数が少なく簡単な構造のバンドの提供を目的とするものであり、図４に示すような構造となっている。すなわち、回動リンク３０および連結リンク４０が、折り畳み状態から展延状態へ可逆的に移行可能とし、かつ、カバー部材１３に回動リンク３０を回動可能に取り付けるバネ棒２１に係止させるカム４７を連結リンク４０に設け、連結リンク４０の回動により、バネ棒２１に対するカム４７の係合およびその解除を行えるようにするものである（符号は、図４に示すもの）。
【０００３】
【特許文献１】特開２００３−１９９６０５号公報
【考案の開示】
【考案が解決しようとする課題】
【０００４】
上記したように特許文献１に開示されたバンドは、バンドの長さ微調整構造が１２時側（腕時計の１２時を示す文字板方向）に設けられており、また、長く延ばした時（展延状態時）に連結リンク４０が見えてしまうという課題を有していた。
【０００５】
そこで、本願考案者は、時計バンドの６時側（腕時計の６時を示す文字板方向）に時計バンドの長さ微調整技術を備えるとともに、バンドの長さを長くした場合でも長さを微調整する構造が見えないようにすることを目的として、本願考案を完成させるに至った。
【課題を解決するための手段】
【０００６】
上記目的を達成するために、第１の考案は、上箱と中板と下板からなる三折りバックルを備えた時計バンドの長さ微調整構造であって、下板の時計バンド側に回動自在に取り付けられる雄パーツとそれに続いて雄パーツと回動自在に取り付けられる雌パーツとを備え、雌パーツは雌パーツ側に回動した雄パーツを収容する収容スペースと収容した雄パーツを収容スペース内に固定する固定機構とを備えたことを特徴とするものである。
第２の考案は、収容スペースは、雌パーツの裏面側に設けられて表面側には表出されない縦断面略コ字型に形成されたことを特徴とする同時計バンドの長さ微調整構造である。
第３の考案は、上記第１又は第２の考案に係る時計バンドの長さ微調整構造を備えたことを特徴とする時計バンドである。
【考案の効果】
【０００７】
本願考案によれば、以下のような効果を有する。
（１）時計バンドの長さ微調整構造を下板側に設けることで、時計バンドの６時側に時計バンドの長さ微調整構造を備えることができる。また、これによって、中留構造（プッシュボタン）と長さ微調整構造とが離れた位置に存在することになるので、操作性を向上できるとともに、誤作動の危険性も防止できる。
（２）雌パーツの収容スペースに収容された雄パーツを収容スペースから解放することで時計バンドの長さを簡単に長くできる。その逆に、雄パーツを雌パーツの収容スペースに収容するだけで、時計バンドの長さを簡単に短くできる（通常状態に戻すことができる）。すなわち、時計バンドを構成するバンド駒の取付・取外なしに時計バンドの長さを微調整できる。
（３）収容スペースは、雌パーツの裏面側に設けられて表面側には表出されない縦断面略コ字型に形成されていることで、雄パーツを雌バンドの収容スペースから解放して時計バンドの長さを長くした場合でも、収容スペースは外観上現れず、雄パーツを雌パーツの収容スペースに収容して時計バンドの長さを短くした場合（通常状態）とデザイン的に違和感がなく取り扱うことができる。
【考案を実施するための最良の形態】
【０００８】
本願考案の実施の形態を図面に基づいて説明する。
図１は、本願考案に係る時計バンドの長さ微調整構造を説明した説明図である。
図１（Ａ）は、時計バンドの長さを長くした状態を示すものであり、下板５０の時計バンド側に雄パーツ１０が回動自在に取り付けられており、それに続いて雌パーツ２０が回動自在に雄パーツ１０に取り付けられている。
図１（Ｂ）は、時計バンドの長さを短くする（通常状態に戻す）途中状態を示すものであり、雄パーツ１０が雌パーツ２０側に回動している。そして、雄パーツ１０の回動に伴って、雄パーツ１０と回動自在に取付けられている下板５０が雌パーツ２０側にスライドする。
【０００９】
図１（Ｃ）は、時計バンドの長さを短くした状態（通常）を示すものであり、雌パーツ２０側に回動した雄パーツ１０が雌パーツ２０の裏面側２１に設けられた収容スペース２２に収容される。収容された雄パーツ１０は、収容スペース２２内にあって時計バンド幅方向に設けられた固定ピン２３に圧接するように当接して、雄パーツ１０を収容スペース２２内に固定する固定機構の役割を果たす。
以上のように、時計バンドを短くする場合（通常状態に戻す場合）には、上記する図１（Ａ）〜（Ｃ）の手順となるが、時計バンドを長くする場合には、上記と逆の図１（Ｃ）〜（Ａ）の手順となる。この作業によって、極めて簡単に時計バンドの長さを微調整できる。
【００１０】
図２は、本願考案の使用状態（通常状態：時計バンドの長さを短くした状態）を示した説明図である。
雄パーツ１０を雌パーツ２０の収容スペース２２に収容した状態で、上箱３０・中板４０・下板５０を三折りすると、雄パーツ１０を収容した雌パーツ２０が上箱３０内に確実にカバーされる。
【００１１】
図３は、本願考案の使用状態（時計バンドの長さを長くした状態）を示した説明図である。
雄パーツ１０を雌パーツ２０の収容スペース２２から解放した状態で、上箱３０・中板４０・下板５０を三折りすると、上箱３０が雄パーツ１０とそれに続く雌パーツ２０の一部の上に重なる。この時、雌パーツ２０には収容スペース２２が外観上現れず、上箱３０と雌パーツ２０の一体性を損なうことなく、時計バンドの長さを長くできる。
【産業上の利用可能性】
【００１２】
本願考案は、上箱と中板と下板からなる三折りバックルを備えた時計バンドに幅広く利用できるものである。
【図面の簡単な説明】
【００１３】
【図１】本願考案に係る時計バンドの長さ微調整構造を説明した説明図。
【図２】本願考案の使用状態（時計バンドの長さを長くした状態）を示した説明図。
【図３】本願考案の使用状態（時計バンドの長さを短くした状態）を示した説明図。
【図４】従来技術（特許文献１）を説明する説明図。
【符号の説明】
【００１４】
１０  雄パーツ
２０  雌パーツ    ２１  裏面側    ２２  収容スペース    ２３  固定ピン
３０  上箱
４０  中板
５０  下板
【図１】
0003144221.tif 000003
【図２】
0003144221.tif 000004
【図３】
0003144221.tif 000005
【図４】
0003144221.tif 000006